【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
無認可無線アクセス技術(RAT)と無認可通信媒体上で動作するように構成された認可RATとの間で共有される無認可通信媒体上での通信ための方法であって、
ある数のチャネル予約メッセージを受信し、前記共有される無認可通信媒体を予約期間の間、予約するステップであって、前記共有される無認可通信媒体は複数のコンポーネントチャネルを含み、チャネル予約メッセージは前記複数のコンポーネントチャネルの各々について受信される、ステップと、
前記複数の予約されたコンポーネントチャネルのうちの第1のコンポーネントチャネルが、前記無認可通信媒体上で動作する前記認可RATについての動作のために保護されるべきであると、
前記第1のコンポーネントチャネルについての前記受信されたチャネル予約メッセージが、残りの前記コンポーネントチャネルについての前記チャネル予約メッセージに対して異なる特性を有すること、または
前記第1のコンポーネントチャネルからの前記受信されたチャネル予約メッセージが、残りの前記コンポーネントチャネルについての前記チャネル予約メッセージと比較して閾値を超えるシグナリングエネルギーを有すること
に基づき、決定するステップと、
異なる特性またはシグナリグエネルギーを有さないと決定された前記予約期間の間、前記複数の予約されたコンポーネントチャネルのうちの第2のコンポーネントチャネル上で、前記無認可RATにより通信するステップと
を含む、方法。
【請求項２】
1つまたは複数の前記チャネル予約メッセージが、前記無認可RATによって規定されたクリアツーセンドツーセルフ(CTS2S)メッセージ、前記無認可RATによって規定されたリクエストツーセンド(RTS)メッセージ、前記無認可RATによって規定されたクリアツーセンド(CTS)メッセージ、前記無認可RATによって規定された物理レイヤコンバージェンスプロトコル(PLCP)ヘッダ、前記無認可RATによって規定されたデータパケット、またはそれらの組合せのうちの少なくとも1つを含む、請求項1に記載の方法。
【請求項３】
前記決定するステップが、
1つまたは複数の前記チャネル予約メッセージを受信する時間の閾値量内に前記シグナリングエネルギーを検出するステップ、
前記1つまたは複数のチャネル予約メッセージの期間フィールドを前記無認可RATに関連する公称閾値と比較するステップ、
前記1つまたは複数のチャネル予約メッセージの受信機アドレスフィールドを前記認可RATに関連する受信機アドレスと比較するステップ、または
それらの組合せ
を含む、請求項1に記載の方法。
【請求項４】
前記決定するステップが、
コンポーネントチャネルインジケータの1つまたは複数の前記チャネル予約メッセージの1つまたは複数のビットを読み出すステップと、
前記コンポーネントチャネルインジケータに基づいて前記認可RATの動作のために保護されるべき前記コンポーネントチャネルとして前記第1のコンポーネントチャネルを識別するステップと
を含む、請求項1に記載の方法。
【請求項５】
前記識別するステップが、
前記1つまたは複数のチャネル予約メッセージのうちの複数にわたって前記コンポーネントチャネルインジケータの値を比較するステップと、
前記複数の前記1つまたは複数のチャネル予約メッセージのうちの前記複数の中ではっきり識別できる前記コンポーネントチャネルインジケータの値を有する前記チャネル予約メッセージに対応する前記コンポーネントチャネルとして前記第1のコンポーネントチャネルを識別するステップと
を含む、請求項4に記載の方法。
【請求項６】
前記識別するステップが、
前記1つまたは複数のチャネル予約メッセージのうちの少なくとも1つに属する前記コンポーネントチャネルインジケータから絶対チャネル番号を読み出すステップと、
前記絶対チャネル番号に対応する前記コンポーネントチャネルとして前記第1のコンポーネントチャネルを識別するステップと
を含む、請求項4に記載の方法。
【請求項７】
前記1つまたは複数のビットが、前記1つまたは複数のチャネル予約メッセージの媒体アクセス制御(MAC)ヘッダまたは物理レイヤコンバージェンスプロトコル(PLCP)ヘッダの一部分に対応する、請求項4に記載の方法。
【請求項８】
前記1つまたは複数のビットが、前記MACヘッダのフレーム制御フィールドのモアフラグメントビット、前記MACヘッダの前記フレーム制御フィールドのリトライビット、前記MACヘッダの前記フレーム制御フィールドの電力管理ビット、前記MACヘッダの前記フレーム制御フィールドのモアデータビット、前記MACヘッダの前記フレーム制御フィールドの保護ビット、前記MACヘッダの前記フレーム制御フィールドのオーダービット、またはそれらの組合せのうちの少なくとも1つに対応する、請求項7に記載の方法。
【請求項９】
前記1つまたは複数のビットが、前記MACヘッダの期間フィールド、前記MACヘッダの受信機アドレスフィールド、またはそれらの組合せに対応する、請求項7に記載の方法。
【請求項１０】
前記1つまたは複数のビットが、前記PLCPヘッダのサービスフィールドの1つまたは複数のスクランブラ初期化ビットに対応する、請求項7に記載の方法。
【請求項１１】
前記無認可RATがWi-Fi技術を含み、
前記認可RATがロングタームエボリューション(LTE)技術を含む、請求項1に記載の方法。
【請求項１２】
無認可無線アクセス技術(RAT)と無認可通信媒体上で動作するように構成された認可RATとの間で共有される無認可通信媒体上での通信のための通信装置であって、
ある数のチャネル予約メッセージを受信し、前記共有される無認可通信媒体を予約期間の間、予約するための手段であって、前記共有される無認可通信媒体は複数のコンポーネントチャネルを含み、チャネル予約メッセージは前記複数のコンポーネントチャネルの各々について受信される、手段と、
前記複数の予約されたコンポーネントチャネルのうちの第1のコンポーネントチャネルが、前記無認可通信媒体上で動作する前記認可RATについての動作のために保護されるべきであると、
前記第1のコンポーネントチャネルについての前記受信されたチャネル予約メッセージが、残りの前記コンポーネントチャネルについての前記チャネル予約メッセージに対して異なる特性を有すること、または
前記第1のコンポーネントチャネルからの前記受信されたチャネル予約メッセージが、残りの前記コンポーネントチャネルについての前記チャネル予約メッセージと比較して閾値を超えるシグナリングエネルギーを有すること
に基づき、決定するための手段と、
異なる特性またはシグナリグエネルギーを有さないと決定された前記予約期間の間、前記複数の予約されたコンポーネントチャネルのうちの第2のコンポーネントチャネル上で、前記無認可RATにより通信するための手段と
を含む、通信装置。
【請求項１３】
無認可無線アクセス技術(RAT)と無認可通信媒体上で動作するように構成された認可RATとの間で共有される無認可通信媒体上での通信のためのコンピュータ可読記録媒体であって、
ある数のチャネル予約メッセージを受信し、前記共有される無認可通信媒体を予約期間の間、予約するためのコードであって、前記共有される無認可通信媒体は複数のコンポーネントチャネルを含み、チャネル予約メッセージは前記複数のコンポーネントチャネルの各々について受信される、コードと、
前記複数の予約されたコンポーネントチャネルのうちの第1のコンポーネントチャネルが、前記無認可通信媒体上で動作する前記認可RATについての動作のために保護されるべきであると、
前記第1のコンポーネントチャネルについての前記受信されたチャネル予約メッセージが、残りの前記コンポーネントチャネルについての前記チャネル予約メッセージに対して異なる特性を有すること、または
前記第1のコンポーネントチャネルからの前記受信されたチャネル予約メッセージが、残りの前記コンポーネントチャネルについての前記チャネル予約メッセージと比較して閾値を超えるシグナリングエネルギーを有すること
に基づき、決定するためのコードと、
異なる特性またはシグナリグエネルギーを有さないと決定された前記予約期間の間、前記複数の予約されたコンポーネントチャネルのうちの第2のコンポーネントチャネル上で、前記無認可RATにより通信するためのコードと
を含むコンピュータ可読記録媒体。